(57)【要約】【課題】  単位画素の配列をデルタ形にして形成されたプラズマディスプレイパネルにおいて、該当プラズマディスプレイパネルの特性を向上させるように、単位画素に対する形状を最適化したプラズマディスプレイパネルを提供する。【解決手段】  第１基板；前記第１基板との間に任意の間隔をおいて配置され、前記第１基板と共に真空容器を形成する第２基板；前記第１基板と第２基板との間に、一組の画素を形成するサブ画素が三角形に配列されるようにして前記画素を形成する隔壁；前記第１基板上に、この第１基板の一方向に沿って形成される複数のアドレス電極；前記第２基板上に、この第２基板の一方向に沿って形成される複数の放電維持電極；及び前記第１基板と第２基板との間に提供される蛍光層及び放電ガス；を含み、前記サブ画素が、その中心点とサブ画素の２個の頂点とを通過する対角線の長さをｃとし、前記サブ画素の２個の頂点を通過する線分の長さをｂとする場合、前記ｂ対ｃの値が１：１．５〜１：５を満たす。【選択図】  図５
2004228071.tif 000002
【特許請求の範囲】
【請求項１】
第１基板；
前記第１基板との間に任意の間隔をおいて配置され、前記第１基板と共に真空容器を形成する第２基板；
前記第１基板と第２基板との間に、一組の画素を形成するサブ画素が三角形に配列されるように前記画素を形成する隔壁；
前記第１基板上に、該第１基板の一方向に沿って形成された複数のアドレス電極；
前記第２基板上に、該第２基板の一方向に沿って形成された複数の放電維持電極；及び
前記第１基板と第２基板との間に提供される蛍光層及び放電ガス；を含み、
前記サブ画素は、その中心点とサブ画素の２個の頂点とを通過する対角線の長さをｃとし、前記サブ画素の２個の頂点を通過する線分の長さをｂとする場合、前記ｂ対ｃの値が１：１．５〜１：５を満たすことを特徴とするプラズマディスプレイパネル。
【請求項２】
前記ｂ対ｃの値は１：２．５〜１：３．５をさらに満たすことを特徴とする請求項１に記載のプラズマディスプレイパネル。
【請求項３】
前記サブ画素は六角形であることを特徴とする請求項１に記載のプラズマディスプレイパネル。
【請求項４】
前記放電維持電極は、
前記第２基板の一方向に沿って長く配置されたバス電極；及び
前記バス電極から突出形成されて前記サブ画素内に配置された透明電極；
を含むことを特徴とする請求項１に記載のプラズマディスプレイパネル。
【請求項５】
前記バス電極は前記サブ画素の形状に沿って配置されることを特徴とする請求項４に記載のプラズマディスプレイパネル。
【請求項６】
前記バス電極は前記第２基板の一方向に沿ってジグザグに配置されることを特徴とする請求項５に記載のプラズマディスプレイパネル。
【請求項７】
前記アドレス電極は、
任意の幅を有して前記隔壁内に配置された第１面積部；及び
前記第１面積部の幅よりも大きい幅を有して前記画素内に配置された第２面積部；
を含むことを特徴とする請求項１に記載のプラズマディスプレイパネル。
【請求項８】
前記第２面積部は前記画素の形状と同一形状を有することを特徴とする請求項７に記載のプラズマディスプレイパネル。
【請求項９】
前記第２面積部は六角形であることを特徴とする請求項８に記載のプラズマディスプレイパネル。
【請求項１０】
前記サブ画素はその中心点を通過する直線を基準に対称な形であることを特徴とする請求項１に記載のプラズマディスプレイパネル。
【請求項１１】
前記線分は前記対角線と平行に配置されることを特徴とする請求項１に記載のプラズマディスプレイパネル。
【請求項１２】
第１基板；
前記第１基板との間に任意の間隔をおいて配置され、前記第１基板と共に真空容器を形成する第２基板；
前記第１基板と第２基板との間に、一組の画素を形成するサブ画素が三角形に配列されるように前記画素を形成する隔壁；
前記第１基板上に、該第１基板の一方向に沿って形成された複数のアドレス電極；
前記第２基板上に、該第２基板の一方向に沿って形成された複数の放電維持電極；
前記第１基板と第２基板との間に提供される蛍光層；及び
前記サブ画素が有する放電空間内に充填される放電ガス；を含み、
一つのサブ画素を形成する隔壁は、前記放電空間の中心点と前記隔壁の２個の頂点とを通過する対角線の長さをｃとし、前記隔壁の２個の頂点を通過する線分の長さをｂとする場合、前記ｂ対ｃの値が１：１．５〜１：５を満たすことを特徴とするプラズマディスプレイパネル。
【請求項１３】
前記ｂ対ｃの値は１：２．５〜１：３．５をさらに満たすことを特徴とする請求項１２に記載のプラズマディスプレイパネル。
【請求項１４】
前記隔壁は六角形であることを特徴とする請求項１２に記載のプラズマディスプレイパネル。
【請求項１５】
前記放電維持電極は、
前記第２基板の一方向に沿って長く配置されたバス電極；及び
前記バス電極から突出形成されて前記放電空間内に配置された透明電極；
を含むことを特徴とする請求項１２に記載のプラズマディスプレイパネル。
【請求項１６】
前記バス電極は前記隔壁の形状に沿って配置されることを特徴とする請求項１５に記載のプラズマディスプレイパネル。
【請求項１７】
前記バス電極は前記第２基板の一方向に沿ってジグザグに配置されることを特徴とする請求項１６に記載のプラズマディスプレイパネル。
【請求項１８】
前記アドレス電極は、
任意の幅を有して前記隔壁内に配置された第１面積部；及び
該第１面積部の幅よりも大きい幅を有して前記放電空間内に配置された第２面積部；
を含むことを特徴とする請求項１２に記載のプラズマディスプレイパネル。
【請求項１９】
前記第２面積部は前記画素の形状と同一形状を有することを特徴とする請求項１８に記載のプラズマディスプレイパネル。
【請求項２０】
前記第２面積部は六角形であることを特徴とする請求項１９に記載のプラズマディスプレイパネル。
【請求項２１】
前記放電空間はその中心点を通過する直線を基準に対称な形であることを特徴とする請求項１２に記載のプラズマディスプレイパネル。
【請求項２２】
前記線分は前記対角線と平行に配置されることを特徴とする請求項１２に記載のプラズマディスプレイパネル。
【発明の詳細な説明】
【技術分野】
【０００１】
本発明はプラズマディスプレイパネルに係り、より詳細には、Ｒ、Ｇ、Ｂの単位画素を三角形に配列して構成される、いわゆるデルタ（delta）方式のプラズマディスプレイパネルに関するものである。
【背景技術】
【０００２】
一般に、プラズマディスプレイパネル（以下、便宜上「ＰＤＰ」と称する）は、気体放電によって生成された紫外線で蛍光体を励起させて所定の映像を具現する表示装置であって、高解像度の大画面を構成することができる長所があるので、次世代薄型表示装置として脚光を浴びている。
【０００３】
前記ＰＤＰを単位画素の配列パターンによって区分すれば、大きく、隔壁によって区画される放電セル、つまり、ガス放電を行う空間がストライプパターンに配列されたストライプ形（又はインライン形）と、前記放電セルが三角形パターンに配列されたデルタ形とに分けられる。
【０００４】
前記ＰＤＰの種類において、公知のデルタ形ＰＤＰは、上部基板と下部基板との間にデルタ形にＲ、Ｇ、Ｂの単位画素を複数配列し、前記画素に対応して、前記上部基板には放電維持電極を、前記下部基板にはアドレス電極を形成して構成される。前記でＲ、Ｇ、Ｂの単位画素の実質的なデルタ形の配列は、例えば、四角形の閉鎖形隔壁によってなされる。
【０００５】
このようなデルタ形ＰＤＰは、選択された単位画素に対応して、前記アドレス電極と一対の放電維持電極のうちのいずれか一つの放電維持電極との間にアドレス電圧を印加してアドレッシング段階を行い、ここに前記一対の放電維持電極に交互に放電維持電圧を印加して維持段階を行えば、この維持段階で発生した紫外線が前記放電セルに提供された蛍光体を励起させ、この時に発生する可視光で任意の画像を具現するものであり、これに関する技術として、特許文献１及び特許文献２などが挙げられる。
【０００６】
一方、前記デルタ形ＰＤＰは、単に閉鎖形隔壁によってのみでなく、前記ストライプ形ＰＤＰを構成する線状隔壁の変形によっても構成されるが、これに関する技術としては、特許文献３に開示されたプラズマディスプレイパネルを挙げることができる。この技術でＲ、Ｇ、Ｂの単位画素は、蛇行（meander）形状に配列された隔壁によってほぼ六角形となる。
【特許文献１】米国特許第５，１８２，４８９号明細書
【特許文献２】米国特許第６，３７３，１９５号明細書
【特許文献３】米国特許第６，３７６，９８６号明細書
【０００７】
このように、いくつか例示したデルタ形ＰＤＰは、前述したように、単位画素の配列を三角形にすることにより、前記Ｒ、Ｇ、Ｂが集まって一つの画素を形成する場合、行（row）方向におけるＲ、Ｇ、Ｂの一つの単位画素の幅を前記画素のピッチ（水平ピッチ）の１／３よりも大きくすることができるので、単位画素がインライン形に配列されているＰＤＰに比べて高精細であるばかりか、画面中で非発光領域が占有する比率が小さくなるので、高輝度の表示が可能である。
【０００８】
しかし、デルタ形ＰＤＰは、前記長所を有してはいるが、いままで開示されたデルタ形ＰＤＰに関する技術では、一つの単位画素に対してこの単位画素の特性を具体化することができないため、該当デルタ形ＰＤＰの製品特性（例えば、輝度）を極大化することができず、これを実製品化するのは難しかった。
【０００９】
例えば、前記で例示した先行技術のうち、特許文献３に開示されたプラズマディスプレイパネルは、一つの単位画素が閉鎖形でなく列（column）方向に開放された蛇行形状の隔壁によって形成されているため、前記単位画素においてこの単位画素が有する放電空間を最大化させるのには限界がある。
【００１０】
また、特許文献１に開示されたプラズマディスプレイパネルは、一つの単位画素が閉鎖形隔壁によって形成されるので、放電空間の最大化には有利であるが、その単位画素の形状が四角形であるので、この四角形の画素内に形成された放電維持電極の面積と前記画素内で起こる放電の拡散形状との間の関係を考慮して見れば、六角形の画素よりも放電維持電極の垂直方向の長さが短いため、中央で発生した放電の拡散が相対的に早く水平方向の隔壁によって遮断されるので、六角形の画素よりは低い輝度特性を示す。
【発明の開示】
【発明が解決しようとする課題】
【００１１】
したがって、本発明は前記問題点を勘案して発明されたものであり、単位画素の配列をデルタ形にして形成されたプラズマディスプレイパネルにおいて、該当プラズマディスプレイパネルの特性を向上させることができるように、単位画素の形状を最適化したプラズマディスプレイパネルを提供することにある。
【課題を解決するための手段】
【００１２】
本発明によるプラズマディスプレイパネルは、第１基板と、前記第１基板との間に任意の間隔をおいて配置され、前記第１基板と共に真空容器を形成する第２基板と、前記第１基板と第２基板との間に、一組の画素を形成するサブ画素が三角形に配列されるようにして前記画素を形成する隔壁と、前記第１基板上に、該第１基板の一方向に沿って形成された複数のアドレス電極と、前記第２基板上に、該第２基板の一方向に沿って形成された複数の放電維持電極と、前記第１基板と第２基板との間に提供される蛍光層及び放電ガスと、を含む。
【００１３】
前記で、サブ画素は、その中心点を通過する直線を基準に対称な形であり、前記中心点と前記サブ画素の２個の頂点とを通過する対角線の長さをｃとし、前記対角線と平行にサブ画素の２個の頂点を通過する線分の長さをｂとする場合、前記ｂ対ｃの値が１：１．５〜１：５を満たす。
【００１４】
前記ｂ対ｃの値が１：２．５〜１：３．５を満たすのがさらに好ましい。
【００１５】
前記サブ画素の全体的な形状は六角形である。
【００１６】
前記プラズマディスプレイパネルにおいて、前記放電維持電極は、前記第２基板の一方向に沿って長く配置されたバス電極と、前記バス電極から突出形成されて前記サブ画素内に配置された透明電極と、を含んで構成することができる。
【００１７】
この時、前記バス電極は、前記サブ画素の形状に沿って、例えば、前記第２基板の一方向に沿ってジグザグに配置される。
【００１８】
また、前記プラズマディスプレイパネルにおいて、前記アドレス電極は、任意の幅を有して前記隔壁内に配置された第１面積部と、前記第１面積部の幅よりも大きい幅を有して前記画素内に配置された第２面積部と、を含んで構成することができる。
【００１９】
前記で第２面積部は、前記画素の形状と同一形状、つまり、六角形である。
【００２０】
一方、本発明によるプラズマディスプレイパネルは、第１基板と、前記第１基板との間に任意の間隔をおいて配置され、前記第１基板と共に真空容器を形成する第２基板と、前記第１基板と第２基板との間に、一組の画素を形成するサブ画素が三角形に配列されるように前記画素を形成する隔壁と、前記第１基板上に、該第１基板の一方向に沿って形成された複数のアドレス電極と、前記第２基板上に、該第２基板の一方向に沿って形成された複数の放電維持電極と、前記第１基板と第２基板との間に提供される蛍光層と、前記サブ画素が有する放電空間内に充填された放電ガスと、を含む。
【００２１】
前記で、一つのサブ画素を形成する隔壁は、前記放電空間の中心点を通過する直線を基準に対称な形であり、前記放電空間の中心点と前記隔壁の２個の頂点とを通過する対角線の長さをｃとし、前記対角線と平行に前記隔壁の２個の頂点を通過する線分の長さをｂとする場合、前記ｂ対ｃの値が１：１．５〜１：５を満たす。
【００２２】
前記ｂ対ｃの値が１：２．５〜１：３．５を満たすのがさらに好ましい。
【発明の効果】
【００２３】
本発明によるプラズマディスプレイパネルは、改善されたサブ画素の構造によりその特性を向上させることができ、サブ画素を構成する隔壁が一種の蜂の巣模様を有するので、その構造的な側面から、安定的で高精細化を可能にする効果がある。
【発明を実施するための最良の形態】
【００２４】
以下、添付した図面を参考にして本発明の好ましい実施例についてより詳細に説明する。
【００２５】
図１は、本発明によるプラズマディスプレイパネルを示した部分分解斜視図であり、図２は、本発明によるプラズマディスプレイパネルが結合された状態を示した部分断面図である。
【００２６】
図示したように、本発明のプラズマディスプレイパネル（以下、便宜上「ＰＤＰ」と称する）は、Ｒ、Ｇ、Ｂのサブ画素が三角形に配列されて一組の画素を形成する、いわゆるデルタ形交流ＰＤＰである。
【００２７】
前記ＰＤＰの構成をより具体的に見てみると、まず、前記ＰＤＰは、その間に任意の間隔をおいて実質的に平行に配置されて真空容器を形成する第１基板２０（以下、便宜上「下部基板」と称する）と第２基板２２（以下、便宜上「上部基板」と称する）とを備える。
【００２８】
前記下部基板２０と前記上部基板２２との間には、所定の高さで任意のパターンを有しながら画素２４を区画形成する隔壁２６が配置されるが、ここで一組の画素２４は、前述したように、三角形に配列された３個のサブ画素２４Ｒ、２４Ｇ、２４Ｂが集まって形成されている（図３参照）。
【００２９】
この時、前記サブ画素２４Ｒ、２４Ｇ、２４Ｂは、各々放電空間２４ａ、２４ｂ、２４ｃを有しているが、これら放電空間２４ａ、２４ｂ、２４ｃは、実質的に前記隔壁２６によって形成されている。
【００３０】
本実施例において、前記サブ画素２４Ｒ、２４Ｇ、２４Ｂの一つの形状はほぼ六角形であるので、一つのサブ画素を形成する隔壁２６もまた六角形であり、これに対応して、各サブ画素２４Ｒ、２４Ｇ、２４Ｂが有する放電空間２４ａ、２４ｂ、２４ｃもその全体的な形状は六角形である。
【００３１】
前記放電空間２４ａ、２４ｂ、２４ｃ内には前記ＰＤＰの実作用に必要な放電ガスが提供され、前記Ｒ、Ｇ、Ｂのサブ画素２４Ｒ、２４Ｇ、２４Ｂに各々対応してＲ、Ｇ、Ｂ蛍光層２８Ｒ、２８Ｇ、２８Ｂが各々形成される。ここで、これら蛍光層２８Ｒ、２８Ｇ、２８Ｂは、前記放電空間２４ａ、２４ｂ、２４ｃの底面及び前記隔壁２６の側面の全てに形成されている。
【００３２】
また、前記下部基板２０上には、アドレス電極３０が前記下部基板２０の一方向（ｙ）に沿って複数形成されるが、この時、前記アドレス電極３０は、前記隔壁２６の内外に配置されるように形成される。同時に、前記アドレス電極３０上には、前記アドレス電極３０を覆いながら前記隔壁２６の下部に配置される誘電層３１が前記下部基板２０の全面に形成される。
【００３３】
本実施例において、前記アドレス電極３０は、前記放電空間２４ａ、２４ｂ、２４ｃの外側、つまり、前記ｙ方向に沿って隔壁２６内に配置された第１面積部３０ａと、前記放電空間２４ａ、２４ｂ、２４ｃの内側に配置された第２面積部３０ｂとを含んで構成される。
【００３４】
つまり、前記アドレス電極３０は、図４に示したように、任意の幅（Ａｗ）を有する第１面積部３０ａと、前記幅（Ａｗ）よりも大きな幅（ＡＷ）を有する第２面積部３０ｂとが反復して配置された形に組合わされて形成される。この時、前記第２面積部３０ｂは、図面から分かるように、前記サブ画素２４Ｒ、２４Ｇ、２４Ｂの形状に対応して六角形である。
【００３５】
一方、前記上部基板２２上には、放電維持電極３２が前記上部基板２２の一方向（ｘ）に沿って複数形成されるが、この時、前記放電維持電極３２は、前記上部基板２２の一方向（ｘ）に前記隔壁２６の形状に沿って配置されたバス電極３２ａと、前記バス電極３２ａから突出形成されて前記サブ画素２４Ｒ、２４Ｇ、２４Ｂの放電空間２４ａ、２４ｂ、２４ｃ内に配置された透明電極３２ｂと、を含んで構成される。
【００３６】
前記放電維持電極３２において、前記バス電極３２ａは、金属のような不透明な材質からなり、前記隔壁２６の形状に対応して配置されるため、前記上部基板２２の一方向に沿って見るとジグザグパターンを有する。このようなバス電極３２ａは、前記ＰＤＰの実作用時に前記放電空間２４ａ、２４ｂ、２４ｃで生成される可視光を遮断しないように、できるだけその幅を最小化しながら前記隔壁２６内に配置されるのが好ましい。
【００３７】
さらに、前記透明電極３２ｂは、ＩＴＯのような透明な材質からなり、一つのバス電極３２ａと交互にその突出方向を切換えながら前記放電空間２４ａ、２４ｂ、２４ｃ内に配置される。したがって、一つの放電空間内には、図面に示されているように、その間に任意の間隔をおいて一対の透明電極３２ｂが配置される。
【００３８】
また、前記上部基板２２上には、前記放電維持電極３２を覆いながら塗布された透明な誘電層３４とＭｇＯからなる保護層３６とが前記上部基板２２の全面に積層形成されている。
【００３９】
一方、本発明において、前記サブ画素２４Ｒ、２４Ｇ、２４Ｂは次のような条件を有して形成されるが、これは、本発明の発明者が数回の実験を通じて、前記サブ画素２４Ｒ、２４Ｇ、２４Ｂが前記条件を有して形成された時に前記ＰＤＰの特性（例えば、輝度、アドレッシング電圧マージンなど）を向上させることができると分かったからである。
【００４０】
図５を参照すれば、まず、前記サブ画素（以下、Ｒのサブ画素を例に挙げて説明する。）２４Ｒは、その中心点（０）を通過する直線を中心に対称な形であるが、その全体的な形状は、前述したように、六角形である。さらに、前記サブ画素２４Ｒは、前記中心点（０）と２個の頂点とを通過する対角線の長さをｃとし、前記対角線と平行に２個の頂点を通過する線分の長さをｂとする場合に、前記ｂ対ｃの値が１：１．５〜１：５の範囲を満たすように形成される。ここで、前記ｂ対ｃの値が１：２．５〜１：３．５を満たすのがさらに好ましい。
【００４１】
前記ｃ及びｂに対する定義は、前記ではサブ画素を中心に説明されたが、前記サブ画素が実質的には前記隔壁２６によって形成されるので、前記隔壁２６を中心にして前記ｃ及びｂを定義すれば、前記ｃは、前記サブ画素の中心点と同じ前記放電空間の中心点と前記隔壁２６の２個の頂点とを通過する対角線の長さとし、前記ｂは、前記対角線と平行に前記隔壁２６の２個の頂点を通過する線分の長さとすることができる。もちろん、前記隔壁２６は、前記放電空間の中心点を通過する直線を基準に対称形である。
【００４２】
図６乃至図８は、前記サブ画素２４Ｒが前記条件を有する場合に、前記サブ画素２４Ｒの適用されたＰＤＰが示す特性を示すグラフであって、図６は輝度、図７はパネル効率、図８はアドレッシング電圧マージンの特性を示すグラフである。参考までに、各グラフにおいて、ｘ軸は前記ｂ及びｃの値をｂ／ｃに換算した値であり、ｙ軸は前記各特性の値を示す。さらに、本発明の発明者が前記値を得る際に行った実験においては、前記サブ画素２４Ｒのｂ及びｃの値だけを調整しており、その他隔壁の高さや誘電層及び蛍光層の厚さなどの条件は同一に維持した。
【００４３】
まず、図６を参照すると、前記ＰＤＰは、前記サブ画素２４Ｒのｂ対ｃの値を１対１、つまり、前記サブ画素の形状を従来のように長方形にする場合に比べて、前記ｂ対ｃの値を１：１．５以上にしてその形状を六角形にする場合に、パネルの輝度が１０％以上増加することが分かる。特に、前記ｂ対ｃの値を１：２〜１：３にすると、従来に比べて輝度が約１５％以上増加することが分かる。このような輝度の増加率は、図６のグラフから分かるように、前記サブ画素２４Ｒの形状が菱形（diamond）に近くなる場合にも期待することができる。
【００４４】
次に図７を見れば、前記ＰＤＰは、前記サブ画素２４Ｒのｂ対ｃの値を１：１とした従来の場合に比べて、順次前記ｃの値を大きくする場合に、パネルの効率が増加することが分かる。ただし、このパネルの効率においては、前記サブ画素２４Ｒの形状が菱形に近くなる場合には、従来の場合よりもその効率が落ちる傾向にある。ここで、パネルの効率は、一般に定義されるように、パネルの発光面積Ａ［ｍ２］と輝度Ｌ［ｃｄ／ｍ２］との積を放電で消費された有効電力Ｐ_ｏｎ−Ｐ_ｏｆｆ［Ｗ］で割って求めることができる。六角形の単位画素を適用したパネルの場合、輝度が増加すると同時に放電維持電極の面積が広くなって消費電力も多少増加するため、発光効率は若干増加するが、バス電極が完全に隔壁と一致しなくなる菱形の単位画素の場合には、むしろ減少するようになる。
【００４５】
最後に、アドレッシング電圧マージンにおいては、図８に示したように、前記ｂ対ｃの値において、前記ｃが順次大きくなり、前記サブ画素２４Ｒの形状が菱形に近くなる場合に、その電圧マージンの改善効率を最も極大化することができるが、この場合には、前記サブ画素を形成する傾いた隔壁が前記サブ画素の中心のあまりにも近くに配置されているため、アドレッシング放電に否定的な面を示すおそれがあるので注意が必要である。
【００４６】
以上の実験値を通じて見てみたように、本発明による前記サブ画素は、パネル効率特性を排除した輝度及びマージン特性から見れば、その形状を菱形に近くする場合に効果的であるといえるが、全体的な特性を考慮すれば、前記ｂ対ｃの値を１：１．５〜１：５にするのが好ましく、前記ＰＤＰを高精細化するために前記画素のピッチ（水平）を微細（例えば、０．５７６ｍｍ）にする場合には、前記ｂ対ｃの値を１：２．５〜１：３．５にするのが好ましい。
【００４７】
前記では、本発明の好ましい実施例について説明したが、本発明はこれに限定されるのではなく、特許請求の範囲と明細書及び添付した図面の範囲内で多様に変形して実施することができ、これもまた本発明の範囲に属するのは当然である。
【００４８】
例えば、前記実施例では前記サブ画素が閉鎖形隔壁によって形成されると説明したが、本発明のサブ画素は、閉鎖形はもちろん、閉鎖形でない屈曲した線状隔壁によっても形成することができ、前記サブ画素の画素もまた六角形に限定されない。
【図面の簡単な説明】
【００４９】
【図１】本発明の実施例によるプラズマディスプレイパネルを示した部分分解斜視図である。
【図２】本発明の実施例によるプラズマディスプレイパネルが結合された状態を示した部分断面図である。
【図３】本発明によるプラズマディスプレイパネルのサブ画素の配列を説明するための概略図である。
【図４】本発明の実施例によるプラズマディスプレイパネルのアドレス電極を示した概略図である。
【図５】本発明の実施例によるプラズマディスプレイパネルのサブ画素の形状を説明するために示した概略図である。
【図６】本発明の実施例によるプラズマディスプレイパネルの効果を示すグラフである。
【図７】本発明の実施例によるプラズマディスプレイパネルの効果を示すグラフである。
【図８】本発明の実施例によるプラズマディスプレイパネルの効果を示すグラフである。
【符号の説明】
【００５０】
２０  第１基板
２２  第２基板
２４  画素
２４ａ、２４ｂ、２４ｃ  放電空間
２４Ｒ、２４Ｇ、２４Ｂ  サブ画素
２６  隔壁
２８Ｒ、２８Ｇ、２８Ｂ  蛍光層
３０  アドレス電極
３０ａ  第１面積部
３０ｂ  第２面積部
３１、３４  誘電層
３２  放電維持電極
３２ａ  バス電極
３２ｂ  透明電極
３６  保護層
【図１】
2004228071.tif 000003
【図２】
2004228071.tif 000004
【図３】
2004228071.tif 000005
【図４】
2004228071.tif 000006
【図５】
2004228071.tif 000007
【図６】
2004228071.tif 000008
【図７】
2004228071.tif 000009
【図８】
2004228071.tif 000010